(57)【要約】【課題】重量およびコストを抑えながら、ジェットブラストや砂塵等を遮蔽し、脚の周囲に設置された装備品を保護することができる航空機の脚収納部を提供すること。【解決手段】航空機１の主脚収納部３は、離着陸時に使用される主脚２が収納される収納ベイ３１と、収納ベイ３１に収納された主脚２の車輪２１が内側に配置され、車輪が出入りする下方、および上方が開放された遮蔽壁３２とを備える。遮蔽壁３２の上方開口３２Ｃは、収納ベイ３１よりも上方に位置する客室１２と収納ベイ３１とを隔てる隔壁１３により覆われる、【選択図】図１
2015033889.tif 000002
【特許請求の範囲】
【請求項１】
離着陸時に使用される脚が収納される収納ベイと、
前記収納ベイに収納された前記脚の車輪が内側に配置され、前記車輪が出入りする下方、および上方が開放された壁体と、を備え、
前記壁体の上方の開口は、前記収納ベイよりも上方に位置する上方区域と前記収納ベイとを隔てる部材により覆われる、
ことを特徴とする航空機の脚収納部。
【請求項２】
前記壁体は、
筒状であり、
前記車輪を支持する支柱が通される支柱用開口を有する、
ことを特徴とする請求項１に記載の航空機の脚収納部。
【請求項３】
前記壁体は、
円筒状であり、
金属材料からロール成形または引張成形される、
請求項２に記載の航空機の脚収納部。
【請求項４】
前記壁体は、
前記上方区域と前記収納ベイとを隔てる部材に固定され、
前記壁体の下方の開口の周囲に位置する、機体の空気抵抗を減らすフェアリングに固定されることで、前記フェアリングを支持する、
請求項１から３のいずれか一項に記載の航空機の脚収納部。
【請求項５】
前記壁体は、互いに着脱可能に結合される複数のパネルを含んで構成される、
請求項１から４のいずれか一項に記載の航空機の脚収納部。
【請求項６】
請求項１から５のいずれか一項に記載の脚収納部を備える、
ことを特徴とする航空機。
【発明の詳細な説明】
【技術分野】
【０００１】
本発明は、航空機の脚を収納する脚収納部、および航空機に関する。
【背景技術】
【０００２】
航空機の離着陸に用いられる主脚は、飛行中は主脚収納部内に収納される（特許文献１）。
主脚収納部は、多くの場合は胴体に設けられており、車輪および支柱を含めた主脚全体を収納する。主脚の周囲には、各種の装備品が設置される。
【先行技術文献】
【特許文献】
【０００３】
【特許文献１】特開２００４−５０８５６号公報
【発明の概要】
【発明が解決しようとする課題】
【０００４】
主脚が収納されているときに、車輪のタイヤの微細な割れなどに起因して、タイヤ内部のエアが噴出するジェットブラストが生じうる。
また、タキシング時、タイヤが巻き上げる砂塵等の異物が主脚収納部内へ流入してしまう。
そのようなジェットブラストや砂塵等を遮蔽し、主脚の周囲に設置された装備品を保護するために、車輪を内側に収容する遮蔽体が設けられる場合がある。その遮蔽体は、主脚の揚降に伴って車輪が出入りする下方の開口、および車輪の収容時に支柱が通される側方の開口を除いて、車輪を側方および上方から包囲する。
そのように車輪を包囲する形態ゆえに、遮蔽体は、重量が大で、材料費も高い。
【０００５】
そこで、本発明は、重量およびコストを抑えながら、ジェットブラストや砂塵等を遮蔽し、脚の周囲に設置された装備品を保護することができる航空機の脚収納部、および航空機を提供することを目的とする。
【課題を解決するための手段】
【０００６】
本発明の航空機の脚収納部は、離着陸時に使用される脚が収納される収納ベイと、収納ベイに収納された脚の車輪が内側に配置され、前記車輪が出入りする下方、および上方が開放された壁体と、を備える。
そして、本発明は、壁体の上方の開口が、収納ベイよりも上方に位置する上方区域と収納ベイとを隔てる部材により覆われることを特徴とする。
【０００７】
本発明では、脚収納部が備える壁体、および、収納ベイと上方区域とを隔てる部材（以下、隔絶部材と称する）により、車輪のタイヤが包囲される。このため、車輪のタイヤに生じたジェットブラストが壁体および隔絶部材によって遮蔽され、ジェットブラストの圧力が壁体の周囲の装備品には及ばないので、装備品は破損することなく保護される。
また、車輪から飛散する砂塵等も、ジェットブラストと同様、壁体および隔絶部材により囲まれた空間の内部に留まり、壁体および隔絶部材の外部には飛散しない。そのため、砂塵等が、装備品を汚損したり動作に影響を与えることを避けることができる。
【０００８】
ここで、壁体の上方の開口を覆う隔絶部材は、収納ベイと上方区域とを隔てる壁としての役割と、壁体の蓋部としての役割とを兼ねている。そのため、隔絶部材とは別途、壁体に蓋部を設ける場合に比べて、車輪を包囲し、ジェットブラストおよび砂塵を遮蔽する遮蔽体の重量および材料費を抑えられる。
つまり、本発明によれは、航空機において強く望まれる重量低減、およびコスト削減を図りながら、ジェットブラストや砂塵等から、収納ベイ内に設置される装備品を保護することができる。
【０００９】
本発明における壁体は、筒状に形成することができる。その壁体には、車輪を支持する支柱が通される支柱用開口を形成することができる。
円筒状の壁体は、金属材料からロール成形または引張成形により形成できる。
ロール成形または引張成形は、深絞り、あるいは切削、鋳造などで成形する場合と比べて生産性に優れるので製作コストを抑えられる。
【００１０】
本発明の航空機の脚収納部では、壁体は、隔絶部材に固定され、壁体の下方の開口の周囲に位置する、機体の空気抵抗を減らすフェアリングに固定されることで、フェアリングを支持することが好ましい。
このように壁体がフェアリングを支持する役割をも担うと、フェアリングをスキンなどに支持するサポート部材を簡素化することができる。
隔絶部材は、耐圧隔壁などの構造部材とされることがより好ましい。
【００１１】
本発明の航空機の脚収納部では、壁体は、互いに着脱可能に結合される複数のパネルを含んで構成されることが好ましい。
そうすると、整備対象の装備品に対向する一部のパネルのみを取り外して、壁体の内側から装備品を容易に整備することができる。
【００１２】
本発明の航空機は、上述の脚収納部を備えることにより、上述した作用効果を享受できる。
【発明の効果】
【００１３】
本発明によれば、重量およびコストを抑えながら、ジェットブラストや砂塵等を遮蔽し、収納ベイ内に設置された装備品を保護することができる航空機の脚収納部、およびその脚収納部を備えた航空機を提供することができる。
【図面の簡単な説明】
【００１４】
【図１】本発明の実施形態に係る航空機の主脚収納部を前方から示す断面図である。
【図２】航空機の胴体およびフェアリングを示す斜視図である。
【図３】主脚の車輪および遮蔽壁を示す斜視図である。図の手前側に、左側の主脚および遮蔽壁を示す。
【図４】遮蔽壁を示す斜視図である。
【図５】遮蔽壁の分解斜視図である。
【図６】車輪のタイヤ内のエアが噴出する様子を示す模式図である。
【発明を実施するための形態】
【００１５】
以下、添付図面を参照し、本発明の実施形態について説明する。
図１に示すように、航空機１は、胴体１０と、胴体１０の左側および右側に設けられる主翼１１とを備える。
胴体１０は、フレーム、スキン、ロンジロン、およびストリンガ（いずれも図示省略）などから構成される。
胴体１０は、操縦室、客室１２、荷室、主脚の収納ベイ３１などの各区域を備える。
胴体１０の下部中央を覆うように、空気抵抗を減らすフェアリング（Belly Fairing）１５が設けられる。フェアリング１５（図２）は、スキン１４の外側に固定される。
以下の説明で、航空機１が備える構成について用いる「上」および「下」は、航空機１の機体が水平の姿勢にあるときの鉛直方向の「上」および「下」を意味する。
【００１６】
胴体１０は、航空機１の離着陸時や地上走行時に用いられる左右で一対の主脚２，２と、これらの主脚２，２を収納する主脚収納部３とを備える。
主脚２，２および主脚収納部３は、左右対称に構成される。
【００１７】
主脚２は、図３に示すように、車輪２１と、車輪２１を支持するとともに、着地時の衝撃荷重や走行時の振動荷重を吸収する緩衝支柱２２と、車輪２１の向きを変える操向装置および車輪２１を制動するブレーキ装置を備える。
主脚２は、同軸に設けられる２つの車輪２１，２１を備える（図１）。
【００１８】
車輪２１は、車軸２１Ａ（図１）にベアリングを介して設けられる金属製のホイール２１１と、ホイール２１１の外周に設けられるゴム製のタイヤ２１２とを有する。
タイヤ２１２内には、所定圧力、例えば１ＭＰａ以上のエアが封入される。なお、エアよりも窒素の比率が高いガス、あるいは純窒素ガスが使用される場合もある。
【００１９】
緩衝支柱２２は、シリンダと、シリンダ内に封入される作動流体と窒素ガスを圧縮するピストンとを備える。シリンダおよびピストンの一方が車軸２１Ａを支持する。緩衝支柱２２は、車輪２１および緩衝支柱２２を揚降させる機構も備える。
緩衝支柱２２は、胴体１０が備える構造部材に固定されたピボット部（図示しない）に設けられる軸部２２Ａを有しており、軸部２２Ａを中心に回動される。
【００２０】
主脚２は、車軸２１Ａが起立し、車輪２１および緩衝支柱２２が伏した状態で主脚収納部３に収納される。収納時、緩衝支柱２２は、胴体１０を前後に貫く軸線から離間する側、車輪２１は近接する側に配置される。
使用時、主脚２は、車軸２１Ａが水平で車輪２１および緩衝支柱２２が起立した状態に展開される。
【００２１】
主脚収納部３は、図１に示すように、胴体１０の下部が窪むように形成された箇所である。主脚収納部３よりも上方には客室１２が位置する。
主脚収納部３は、主脚２，２を地上に向けて引き出したり、収納状態に引き込むために、２つの収納開口３０を有する。左側に位置する収納開口３０は、左側の主脚２に対応する。右側に位置する収納開口３０は、右側の主脚２に対応する。
【００２２】
収納開口３０は、図２に示すように、胴体１０に設けられるフェアリング１５、および主翼１１に跨って形成される。湾曲した板状に形成されるフェアリング１５は、機体が地上に対して水平の姿勢にあるときに地上に向く下部と、同じく水平の姿勢にあるときに側方に向く側部とを備える。
収納開口３０は、主脚２の車輪２１，２１を出入り可能とするためフェアリング１５の下部に円形に開口するとともに、緩衝支柱２２を回動可能とするためフェアリング１５から主翼１１の根元にかけて開口する。
フェアリング１５には、空力荷重に耐えることのできる剛性が要求される。このため、フェアリング１５は、複数のサポート部材により、スキンに支持される。
【００２３】
収納開口３０には、主脚２の揚降に伴って開閉される扉３０１が設けられる。扉３０１は必要に応じて設ければよい。
【００２４】
主脚収納部３は、図１に示すように、主脚２を収納するとともに、主脚２の周囲に図示しない各種の装備品が設置される収納ベイ３１と、主脚２のタイヤ２１２からのジェットブラスト（Jet Blast）や、砂塵等を遮蔽する２つの遮蔽壁３２とを備える。
収納ベイ３１は、隔壁１３により客室１２と隔てられており、フェアリング１５の内側に位置する空間である。フェアリング１５は、隔壁１３にも固定される。
客室１２内は与圧されているが、収納ベイ３１内は与圧されていない。このため、隔壁１３は、客室１２内と収納ベイ３１内との圧力差に耐え、胴体１０の強度を受け持つ構造部材とされる。隔壁１３は、水平に設置される板状の隔壁本体１３１と、隔壁本体１３１を客室１２側から補強するリブ１３２とを有する。
収納ベイ３１内には、装備品として、例えば、舵面を動作させる操縦システム、主脚２や主脚ブレーキを動作させる主脚システム、燃料システム、油圧システム、それらに付随する配管、配線等が設置される。ジェットブラストや砂塵等からの保護が必要な装備品は、隔壁１３において、遮蔽壁３２の上方開口３２Ｃに対向する部分には設けられていない。
【００２５】
遮蔽壁３２は、主脚２の車輪２１，２１が内側に配置される筒状の部材である。左側に位置する遮蔽壁３２は、左側の主脚２に対応する。右側に位置する遮蔽壁３２は、右側の主脚２に対応する。
図４に示すように、遮蔽壁３２の下方は、車輪２１が出入りするために開放されており、遮蔽壁３２の上方も開放されている。
遮蔽壁３２の側面には、緩衝支柱２２が通される支柱用開口３２０が形成される。
【００２６】
支柱用開口３２０は、遮蔽壁３２の周方向の一部を、下端からほぼ半分の高さまで略矩形状に切り取るように形成される。支柱用開口３２０の大きさは、緩衝支柱２２の可動範囲に応じて設定される。
遮蔽壁３２において支柱用開口３２０の両側には、支柱用開口３２０の対辺に沿って、補強部材３７，３８がファスナで固定される。これら補強部材３７，３８により、遮蔽壁３２における支柱用開口３２０の周囲が補強される。
補強部材３７は、遮蔽壁３２の外周面から面外方向に立ち上がる略矩形の板状の部材であり、軽量化のための孔３７０が形成される。補強部材３７の下端は、フェアリング１５にファスナで固定される。
補強部材３８は、その開口部を通り、胴体１０に保持される構造物に取り付けられる。
上記の補強部材３７，３８の形態は一例であり、支柱用開口３２０を任意の形態の補強部材によって構成することができる。
【００２７】
遮蔽壁３２は、車輪２１の外径よりも少し大きい内径の円筒状に形成される。より詳細には、遮蔽壁３２は、複曲面を有する形状とされている。
遮蔽壁３２は、上端３２Ａから下端３２Ｂに向かうにつれて少し拡がっているため、下端３２Ｂから引き込まれる車輪２１，２１が遮蔽壁３２に干渉することを避けて、遮蔽壁３２の内側に車輪２１，２１を確実に収容することができる。
遮蔽壁３２の内周と車輪２１の外周との間には、上空での気圧低下によりタイヤ２１２が最大に膨らんだときでも隙間が残されるように、所定のクリアランスが設定される。
【００２８】
遮蔽壁３２は、金属材料、あるいは、複合材から形成される。複合材は、炭素繊維、ガラス繊維などの強化繊維、および樹脂を含む繊維強化樹脂である。
金属材料としては、重量や加工性、材料費の点で、アルミニウムまたはアルミニウム合金を好適に使用できる。
また、遮蔽壁３２は、金属材料から切削、鋳造によって製作することも可能であるが、加工コストの点で、ロール成形や引張成形、プレス曲げ成形などの曲げ加工により製作することが好ましい。
本実施形態の円筒状の遮蔽壁３２は、金属材料からロール成形または引張成形される。遮蔽壁３２を横断面が四角形である角筒状とする場合は、金属板をプレス加工で折り曲げるとよい。
【００２９】
遮蔽壁３２は、図５に示すように、側方パネル３２１〜３２３および上方パネル３２４を含んで構成される。これらのパネル３２１〜３２４は、整備の際の取り外しを容易とするため、図示しないファスナで互いに着脱可能に結合されることが好ましい。
支柱用開口３２０は、遮蔽壁３２の周方向に隣り合う２つの側方パネル３２１，３２２に形成された切欠が合わさることで形成される。支柱用開口３２０の背面に、側方パネル３２３が配置される。遮蔽壁３２は、周方向において、複数の側方パネル３２１〜３２３に分割されている。
【００３０】
上方パネル３２４は、側方パネル３２２，３２３の上端に沿って形成される。上方パネル３２４には、上方に立ち上がる固定片３２４Ａが形成される。固定片３２４Ａは、平面視Ｌ字状に形成される。固定片３２４Ａの内側には、ジェットブラストや砂塵等からの保護が必要ない装備品が配置される。
【００３１】
パネル３２１〜３２４のうち一部のパネル３２３には、必要に応じて、整備用のハッチ３２Ｈが設けられる。ハッチ３２Ｈは、側方パネル３２３に形成された開口と、その開口を塞ぐ蓋３２Ｊとを有する。側方パネル３２３にファスニングされた蓋３２Ｊを取り外すことにより、遮蔽壁３２の内側から、ハッチ３２Ｈの外側に位置する装備品を整備することが可能となる。
【００３２】
次に、遮蔽壁３２の下方の開口周辺の構造、および遮蔽壁３２の上方の開口周辺の構造について説明する。
遮蔽壁３２の下端３２Ｂは、図１に示すように、主脚収納部３の収納開口３０に臨む位置にあり、下端３２Ｂにより囲まれた遮蔽壁３２の下方の開口が、収納開口３０に連通する。
遮蔽壁３２の下端３２Ｂには、図４に示すように、内周側に突出するゴム部材３３が円弧状に設けられる。
【００３３】
ゴム部材３３は、車輪２１の外周と遮蔽壁３２の内周との間の隙間を塞ぐ。これにより、空気抵抗が増大するのを避けるとともに、飛行中に異物が遮蔽壁３２の内側に入るのを防止する。
ゴム部材３３は、遮蔽壁３２内の車輪２１，２１のうち下方に位置する車輪２１の表面とほぼ同じ位置に設けられる（図１）。
ゴム部材３３に代えて、ブラシを用いることも可能である。遮蔽壁３２の下端３２Ｂに、毛束が径方向に揃えられた円弧状のブラシを設けることができる。
【００３４】
遮蔽壁３２の上端３２Ａにより囲まれた上方開口３２Ｃは、図１に示すように、隔壁１３により覆われる。隔壁１３は、上方開口３２Ｃの全体を覆っており、遮蔽壁３２の蓋を兼ねている。
遮蔽壁３２は、隔壁１３と直交する方向（上下方向）に対して若干傾けて配置される。
隔壁１３および遮蔽壁３２は、車輪２１を包囲することにより、車輪２１からのジェットブラストや砂塵等を遮蔽する。遮蔽壁３２は、ジェトブラストの圧力に対して十分な強度に形成される。胴体１０において強度を受け持つ構造部材である隔壁１３は、言うまでもなく、隔壁本体１３１およびリブ１３２により、ジェトブラストの圧力に対して十分な強度を有している。
遮蔽壁３２に必要とされる強度に応じて、遮蔽壁３２の厚みが決められる。遮蔽壁３２の板厚は、例えば数ｍｍ程度である。
同じ厚みで、かつ車輪２１を内側にぴったりと収容可能なサイズで比べると、横断面が円形である円筒状の遮蔽壁３２は、横断面が矩形や多角形等のものも含めた種々の筒体の中で、重量が最小となる。したがって、遮蔽壁３２を円筒状に形成すると、重量を抑えることができる。
本実施形態では、隔壁１３と、遮蔽壁３２の上端３２Ａとの間に隙間が残されているが、ジェットブラストや砂塵等から保護する必要のある装備品は、隙間から離間した位置に配置されるので、ジェットブラストや砂塵等に曝されない。
勿論、隔壁１３と遮蔽壁３２の上端３２Ａとの間に隙間がない状態で、隔壁１３が遮蔽壁３２の上方開口３２Ｃを覆っていると、ジェットブラストや砂塵等を完全に遮蔽できるのでより好ましい。
【００３５】
次に、遮蔽壁３２が隔壁１３に固定される構造について説明する。
遮蔽壁３２の上端３２Ａには、固定部３６が設けられており、隔壁１３にも、対応する固定部が設けられる。遮蔽壁３２の固定部３６と隔壁１３の固定部は、リベット、溶接等によって永久結合される。固定部３６に対して遮蔽壁３２がファスナで取り外し可能に結合されると、遮蔽壁３２が隔壁１３に固定される。
固定部３６は、遮蔽壁３２の上端３２Ａに設けられる複数のパーツから形成されており、一部のパーツは、固定片３２４Ａの上端に設けられる。
固定部３６の各パーツはいずれも、断面Ｌ字状に形成される。後述するサポートリング３４１，３４２、サポート支柱３５、およびサポート部材３９についても同様である。
【００３６】
次に、遮蔽壁３２がフェアリング１５を支持する構造について説明する。
遮蔽壁３２の外周には、環状のサポートリング３４１，３４２が設けられる。サポートリング３４１，３４２は、遮蔽壁３２の下端３２Ｂ、および下端３２Ｂと上端３２Ａとの間にそれぞれ配置され、上下方向に延びるサポート支柱３５により、周方向の複数の箇所で互いに連結される。
遮蔽壁３２の下端３２Ｂに配置されるサポートリング３４１は、周方向の複数箇所において、フェアリング１５にファスナで固定される。これにより、遮蔽壁３２は、サポートリング３４１を介してフェアリング１５を支持する。
【００３７】
上記のサポートリング３４１，３４２およびサポート支柱３５がファスナで組み付けられることで形成された骨組４０（図４）の内側に、遮蔽壁３２が収容される。左側の遮蔽壁３２を収容する骨組４０と、右側の遮蔽壁３２を収容する骨組４０とは、連結部３２５（図１）および図示しないサポート部材により連結される。連結部３２５は、骨組４０，４０の間で延在する板状の部材である。
【００３８】
遮蔽壁３２は、上記の骨組４０に固定される複数の棒状のサポート部材３９を介してフェアリング１５に連結される。
サポート部材３９は、遮蔽壁３２の外周面の面外方向に延出する。複数のサポート部材３９は、様々な向きの外力に対して遮蔽壁３２を十分に支持するように、遮蔽壁３２の外周面における位置、および延出方向が決められる。
サポート部材３９の基端と骨組４０、およびサポート部材３９の先端とフェアリング１５とは、それぞれ図示しないファスナで固定される。
つまり、遮蔽壁３２は、上記のサポートリング３４１に加えて、サポート部材３９を介しても、フェアリング１５を支持する。
【００３９】
さて、本実施形態の主脚収納部３の構成により得られる作用効果について説明する。
主脚２のタイヤ２１２に生じた割れなど、あるいは過熱されたブレーキからの熱影響に起因して、航空機１の飛行中、タイヤ２１２にジェットブラストが生じる可能性がある。
ジェットブラストは、図６に示すように、タイヤ２１２の内部に封入されたエアＡｒがコーン状（円錐状）に噴出する現象であり、噴出起点からの距離に応じた圧力を生じさせる。
【００４０】
本実施形態では、隔壁１３において、遮蔽壁３２の上方開口３２Ｃに対向する部分には装備品が設けられておらず、遮蔽壁３２および隔壁１３がタイヤ２１２を包囲する。そして、遮蔽壁３２および隔壁１３が、ジェットブラストの圧力を受け止める。こうすることで、遮蔽壁３２および隔壁１３により囲まれた空間の外部に対してジェットブラストが遮蔽される。
支柱用開口３２０内では、ジェットブラストは、緩衝支柱２２に当たることによって遮蔽されるので、遮蔽壁３２および隔壁１３により囲まれた空間内に封じ込められる。
したがって、ジェットブラストの圧力から、主脚２の周囲に配置される装備品が保護されるので、収納ベイ３１内に、飛行に重要な役割を果たすものも含めて各種の装備品を設置することができる。
遮蔽壁３２は、ジェットブラストにより外側に膨らむように変形するので、装備品は、遮蔽壁３２の外周面から少し離して設置することが好ましい。
【００４１】
また、タキシング時、タイヤ２１２が巻き上げる砂塵等が主脚収納部内へ流入するが、その砂塵等も、上述したジェットブラストと同様、遮蔽壁３２および隔壁１３により囲まれた空間の内部に封じ込められ、外部には飛散しない。そのため、砂塵等が装備品を汚損したり、装備品の動作に影響を与えるのを避けることができる。
なお、離陸後、主脚２が引き込まれたときに車輪２１が惰性で回転していることもありうる。その場合に、車輪２１に付着した砂塵等が飛散することも、遮蔽壁３２および隔壁１３によって防止される。
【００４２】
ここで、主脚収納部３が遮蔽壁３２および隔壁１３により構成されることにより、以下に述べるように、重量上、コスト上、および加工上の利点がある。
もし、遮蔽壁３２の上方開口３２Ｃを覆うための専用の蓋部を必要とし、遮蔽壁３２および蓋部により車輪２１を包囲する構成とするならば、蓋部の分、重量が増加し、コストが嵩む。
その上、蓋部は、重量を抑えながらジェットブラストに耐える強度を確保するために、椀状（ドーム状）の形態とすることが望まれる。しかし、椀状の蓋部の加工は難しい。金属材料を用いる場合、椀状の形態には深絞り加工が適するが、加工時に割れが生じ易い上、型のコストが高い。
【００４３】
本実施形態では、遮蔽壁３２の上端３２Ａに対向する隔壁１３が、遮蔽壁３２の蓋部を兼ねている。
このように既存の隔壁１３を用いれば、蓋部を用意することなく、車輪２１の外周に対向する筒状の遮蔽壁３２を用意すれば足りるから、重量、材料費を抑えられる。
しかも、本実施形態の遮蔽壁３２は、深絞り、あるいは切削、鋳造などで成形する場合と比べて生産性に優れるロール成形または引張成形により金属材料から形成されるので、製作コストを抑えられる。また、複合材から遮蔽壁３２を形成する場合と比べると、材料費が安価で、工程が簡略なために生産性に優れるので製作コストを抑えられる。さらに、金属材料として軽量なアルミニウム等を選択すれば、複合材に匹敵する軽量性を実現できる。
ここで、遮蔽壁３２が損傷した場合の修理の点でも、複合材を用いるよりも金属材料を用いる方が有利である。複合材を用いる場合は、複合材パッチの真空引きや加熱硬化を行うための工程や時間を要するのに対して、金属材料を用いる場合は、金属パッチを単純にファスニングすれば足りるためである。
【００４４】
またさらに、本実施形態では、隔壁１３に固定することで遮蔽壁３２に構造強度を持たせながら、その遮蔽壁３２をサポート部材３９によりフェアリング１５に連結することにより、フェアリング１５を支持する役割をも遮蔽壁３２に担わせる。このようにすると、遮蔽壁３２は、フェアリング１５の支持構造の一部を構成するので、フェアリング１５をスキンや隔壁１３に支持するサポート部材の数を減らしたり、サポート部材の断面積を低減することができる。つまり、サポート部材の簡素化、軽量化に寄与できる。
【００４５】
そして、本実施形態によれば、遮蔽壁３２が複数のパネル３２１〜３２４から構成されるので、遮蔽壁３２の周囲に設置された装備品を遮蔽壁３２の内側から整備する際に、整備対象の装備品に対向する一部のパネルのみを取り外せばよい。パネル３２１〜３２４の各々は、一人でも容易に持てる重量であり、容易に着脱することができるので、整備性を向上させることができる。
【００４６】
上記実施形態では、２つの主脚２を備える航空機１を示したが、本発明は、それ以上の数の主脚を備える航空機にも適用でき、それらの主脚の各々を収納する収納部の構造として、上述した主脚収納部３の構造を採用できることは言うまでもない。
また、主脚２の一つあたりに設けられる車輪２１の数は任意である。
さらに、主翼１１が主脚を収納可能な厚みを有していれば、主脚収納部を、胴体１０ではなく主翼１１に設けることもできる。
【００４７】
本発明は、航空機１の前脚など、航空機が備える他の脚の収納部の構造にも適用できる。その収納部において脚の周囲に設置される装備品は、脚の車輪が内側に配置される遮蔽壁を設置し、その遮蔽壁の上方の開口を部材で覆うことにより、ジェットブラストや砂塵等から保護される。
【００４８】
本発明の脚収納部が備える遮蔽壁のパネルや、サポートのための部材は、整備性を良好なものとするために、ファスナで着脱可能に固定されることが好ましいが、本発明は、他の方法、例えば溶接によってそれらを固定することをも許容する。
また、本発明は、脚の車輪が内側に配置される壁体としての遮蔽壁３２が装備品の筐体を兼ねることをも許容する。
【００４９】
上記以外にも、本発明の主旨を逸脱しない限り、上記実施形態で挙げた構成を取捨選択したり、他の構成に適宜変更することが可能である。
【符号の説明】
【００５０】
１      航空機
２      主脚
３      主脚収納部
１０    胴体
１１    主翼
１２    客室（上方区域）
１３    隔壁（収納ベイと上方区域とを隔てる部材）
１５    フェアリング
２１    車輪
２１Ａ  車軸
２２    緩衝支柱（支柱）
３０    収納開口部
３１    収納ベイ
３２    遮蔽壁（遮蔽壁）
３２Ａ  上端
３２Ｂ  下端
３２Ｃ  上方開口
３２Ｈ  ハッチ
３３    ゴム部材
３５    サポート支柱（支持部材）
３６    固定部
３７，３８  補強部材
３９    サポート部材（支持部材）
４０    骨組（支持部材）
２１１  ホイール
２１２  タイヤ
３２０  支柱用開口
３２１〜３２３  側方パネル
３２４  上方パネル
３２４Ａ  固定片
３２５  連結部
３４１，３４２  サポートリング（支持部材）
３７０  孔
Ａｒ    エア
【図１】
2015033889.tif 000003
【図２】
2015033889.tif 000004
【図３】
2015033889.tif 000005
【図４】
2015033889.tif 000006
【図５】
2015033889.tif 000007
【図６】
2015033889.tif 000008